(57)【要約】【課題】売上金等として回収した現金の計数・金種整理や釣銭準備金としての釣銭パック作成を無人化、高速化できる現金運用システムを提供する。【解決手段】取引に利用した貨幣Ｍを収納する貨幣収納庫１と、該貨幣収納庫１内の貨幣Ｍを取り出して金種判別および計数する計数／金種判別機２と該計数／金種判別機２が判別した貨幣を所定枚数ごとに束ねる施封整理機３と、前記貨幣収納庫１と前記計数／金種判別機２と前記施封整理機３を制御可能な運用管理サーバ５を有する現金運用システムであって、前記運用管理サーバ５は計数／金種判別機２および施封整理機３を制御して、貨幣収納庫１から取り出した貨幣Ｍを金種判別し、前記施封整理機３に搬送し、金種毎に所定数量ずつ区分け整理する動作を一貫して行う。【選択図】 図１
2008262389.tif 000002
【特許請求の範囲】
【請求項１】
取引に利用した貨幣を収納する貨幣収納庫と、
該貨幣収納庫内の前記貨幣を取り出して金種判別および計数する計数／金種判別機と、
該計数／金種判別機が判別した前記貨幣を所定枚数ごとに束ねる施封整理機と、
前記貨幣収納庫と前記計数／金種判別機と前記施封整理機を制御可能な運用管理サーバを有する現金運用システムであって、
前記運用管理サーバは前記計数／金種判別機および前記施封整理機を制御して、前記貨幣収納庫から取り出した貨幣を金種判別し、前記施封整理機に搬送し、前記貨幣を金種毎に所定数量ずつ区分け整理する動作を一貫して行うことを特徴とする現金運用システム。
【請求項２】
請求項１記載の現金運用システムであって、
前記計数／金種判別機の上流側に前記貨幣収納庫の搬送路を形成し、該搬送路上に載置される前記貨幣収納庫を一時保管する自動倉庫を有する現金運用システム。
【請求項３】
請求項１記載の現金運用システムであって、
前記計数／金種判別機の下流側には、全ての貨幣が取り出された前記貨幣収納庫を保管する保管場所を有する現金運用システム。
【請求項４】
請求項１記載の現金運用システムであって、
予め定めた貨幣金種毎に搬送する貨幣搬送路を有し、
該貨幣搬送路には分岐部を配し、前記運用管理サーバからの指示に従って前記分岐部を制御することにより所定の金種を所定数量だけ抜取り可能とした現金運用システム。
【請求項５】
請求項１記載の現金運用システムであって、
前記貨幣収納庫には、収納されている貨幣の金種及び数量等の有高情報を記憶する記憶部を設け、
前記運用管理サーバは、前記記憶部内の有高情報に従って、前記貨幣収納庫内の貨幣の詰め替えを制御する現金運用システム。
【請求項６】
請求項１記載の現金運用システムであって、
前記計数／金種判別機には、前記貨幣収納庫の自動装填機が接続される現金運用システム。
【発明の詳細な説明】
【技術分野】
【０００１】
本発明は、百貨店やスーパーマーケット等における売上金の計数処理や、銀行等の金融機関に設置される現金自動預払機（ＡＴＭ）から回収した現金の計数処理など行う現金運用システム関する。
【背景技術】
【０００２】
従来、百貨店やスーパーマーケット等の大型小売店においては、開店準備金として毎日レジ別に適当な種類および量の釣銭を準備しておく必要があり、作業者の肉体的作業や単純労働を軽減すると同時に、釣銭作成ミスの発生を抑えることができるレジ別釣銭システムがある（例えば、特許文献１)。この技術によれば、各店のレジ別の釣銭を硬貨の包装から金種別、本数別に仕分けてパックまで一貫して人手に寄らなくても作成できる。
また、大型小売店等に設置される複数の電子式金銭登録機から現金自動預払機（ＡＴＭ）に現金を移送する際に現金と共に金額データや所属データを合わせて移送するものがある。更に、現金を移送するスタッカを両者共同カセットとしたものが知られている（例えば、特許文献２)。
【０００３】
更に、近時では現金自動預払機（ＡＴＭ）やＰＯＳレジスタ等の現金取扱装置から現金の回収や装填作業を専門の管理会社に委託し、各装置の設置場所を巡回して現金装填、回収を実施するようになった (例えば、特許文献３)。これらの作業では、専用の金庫に現金を詰め各設置場所で台車等に積み替えで各装置まで運搬し、金庫単位での交換作業を行っている。
【特許文献１】特開平０５−１２５３８号（段落００0２，０００４，００４１）
【特許文献２】特開平０７−３３４７２５号（段落００２９，００６４）
【特許文献３】特開２００３−３３１２０６号（段落０００２，０００３）
【発明の開示】
【発明が解決しようとする課題】
【０００４】
しかしながら上述した従来技術では、売上金等として回収した現金の計数・金種整理や釣銭準備金としての釣銭パック作成までに一貫性がないので、個々の計数処理を行うという煩わしさがあり、現金管理、運用面からも効率向上が望まれている。
【０００５】
そこで本発明は、委託された管理会社（係員）により、回収された貨幣収納庫を現金管理センターの所定場所に設置される受入部に載置するのみで、それ以降の計数整理作業を一貫して行うようにし、作業の無人化、および高速化を実現した現金運用システムを提供することを目的とする。
【課題を解決するための手段】
【０００６】
本発明は、取引に利用した貨幣を収納する貨幣収納庫と、該貨幣収納庫内の貨幣を取り出して金種判別および計数する計数／金種判別機と該計数／金種判別機が判別した貨幣を所定枚数ごとに束ねる施封整理機と、前記貨幣収納庫と前記計数／金種判別機と前記施封整理機を制御可能な運用管理サーバを有する現金運用システムであって、
前記運用管理サーバは前記計数／金種判別機および前記施封整理機を制御して、前記貨幣収納庫から取り出した貨幣を金種判別し、前記施封整理機に搬送し、前記貨幣を金種毎に所定数量ずつ区分け整理する動作を一貫して行う。
【発明の効果】
【０００７】
本発明の現金運用システムによれば、回収された貨幣収納庫を現金管理センターの所定場所に設置される受入部に載置するのみで、それ以降の計数整理作業を一貫して行うので、作業の無人化、高速化が実現できるという効果がある。
【発明を実施するための最良の形態】
【０００８】
以下、本発明の実施形態を詳細に説明する。なお、本実施例では貨幣として『紙幣』を例に説明するが、『硬貨』についても同様に実施できる。
【実施例１】
【０００９】
図１は本発明の現金運用システムの構成例を示す概念図で、図２は本発明の現金運用システムの制御ブロック図ある。また、図３は本発明の貨幣収納庫の外観図で、図４は本発明の貨幣収納庫の構成図である。
本実施例に係る現金運用システムは、紙幣Ｍが収納される貨幣収納庫１と紙幣Ｍの真偽、金種を判別するとともに計数可能な計数／金種判別機２、そして計数／金種判別機２から搬送された紙幣Ｍを所定枚数で結束すると共に、結束した所定数の小束をまとめて大束とする施封整理機としての小束／大束作成機３で構成され、これらの各装置と機械的に接続されるコンベア部４や電気的に接続され、各装置を制御する運用管理サーバ５で構成される。
【００１０】
貨幣収納庫１は、百貨店やスーパーマーケット等の大型小売店に設置され売上金等と計数処理する入出金機、更には金融機関に配置されている現金自動預払機（ＡＴＭ）に内蔵され、取り扱う紙幣Ｍを収納する。この貨幣収納庫１は、図３および図４に示すように側面に設けた扉１０を、鍵１０ａを使用して開閉できるようになっている。この扉１０を開くとスィッチＳＷがこれを検知すると共に、貨幣収納部１１に収納されている紙幣Ｍを取り出すことができる構成である。
【００１１】
１２は繰出部であって、内部に堆積されている紙幣Ｍを１枚ずつ分離し、後述する取出口から送り出す機能を有するものであり、ピッカローラや分離ローラ、更には、外部から紙幣Ｍの抜取りができないようにするためのシャッタ部、そして駆動源としてのモータ類で構成され、後述する制御部からの指示によりシャッタ部を開状態にし、加えて各ローラの回転制御により紙幣Ｍを繰出すことができる。
なお、紙幣Ｍはステージ上に堆積され、分離繰出し動作に応じて、移動(図４では上昇)してピッカローラに所定圧で押し付けるような付勢力を確保できる構成になっている。
【００１２】
１３は操作表示部であって、後述する記憶部に格納されている情報を液晶ディスプレイ表示可能な部位であり、また操作ボタンを表示した場合には、その表示ボタンを係員が触れることにより入力が行われる、所謂タッチパネル構造を有している。
１４は通信部であって、送受信部Ｓと無線通信可能として、記憶部に格納している有高情報等の送受信を行う。なお、この通信部１４は無線通信に限定されるものではない。
【００１３】
１５は記憶部で、半導体メモリで構成され、前記の操作ボタン表示の画面情報や貨幣収納庫１内に収納されている紙幣Ｍの金種とその枚数情報、更には、本貨幣収納庫１を特定可能なＩＤ情報や制御プログラムなどを格納している。
１６は制御部であって、記憶部１５に格納されている制御プログラムにより上記各部を制御するものである。１７は充電可能な電源部であって、上記各部に電力を供給すると共に、記憶部１５に記憶される半導体メモリ内の情報をバックアップする。
【００１４】
１８は紙幣Ｍの取出口であって、前記繰出部１２が送り出す紙幣Ｍの出口となり、後述する紙幣受取口側への紙幣搬送が可能なように形成されている。
１９は紙幣収納庫１を係員が運搬するための取手部であり、図３に示すように貨幣収納庫１の上部近傍に回転可能に軸支され、運搬時以外は略水平方向に倒すことができるようになっている。なお、この取手部１９は貨幣収納庫１の上部側面近傍に凹部を形成するようなものでも良い。
【００１５】
計数／金種判別機２は、貨幣収納庫１から送り込まれた紙幣Ｍの真偽、金種、正損判別し、それぞれの金種ごとの枚数を計数すると共に、損券など下流に位置する小束／大束作成機３に送り込めない紙幣Ｍを一時的に格納する収納庫や、小束／大束作成機３に金種別に送る搬送路および切替部等で構成される。
【００１６】
２１は図示しない紙幣受取口より吸入される紙幣Ｍの真偽、正損及び金種を識別するための鑑別部であって、重送検知や傷んだ紙幣Ｍやテープ張付け紙幣Ｍなども検知できる構造となっている。
２２は前記鑑別部２１を通過した紙幣Ｍを金種別に搬送先を切替える切替部である。
２３は操作表示部であって、後述する記憶部に格納されている情報を液晶ディスプレイ表示する部位である。なお、タッチパネル構造として操作ボタンを表示、その操作ボタンを係員が触れることにより指示入力が行えるようにしても良い。
【００１７】
２４は送受信部であって、通信部１４と無線通信可能として、貨幣収納庫１と情報の送受信を行う。なお、この送受信部２４も前記通信部１４と同様、無線通信に限定されるものではない。
２５は記憶部で、半導体メモリ、ＨＤＤ等構成され、前記の操作ボタン表示の画面情報や計数／金種判別機２内に収納されている紙幣Ｍの金種とその枚数情報などを格納する。
２６は制御部であって、記憶部２５に格納されている制御プログラムにより各部を制御するものである。２７は電源部であって、上記各部に電力を供給する。
【００１８】
２８は鑑別部２１を通過した紙幣Ｍが例えば、傷んでいたりしている場合や金種を確定できない場合に、後述の小束／大束作成機３に搬送不可として、一時的に保管する損券収納庫である。なお、この損券収納庫２８に格納した紙幣Ｍは、係員操作により取り出し可能とするが、分離繰出し機構を配して、切替部２２に向け搬送できるようにしても良い。
２９は二千円券収納庫であって、比較的に流通量の少ない二千円紙幣を一時的に格納する。なお、この二千円券収納庫２９に格納した紙幣Ｍも、係員操作により取り出し可能とするが、分離繰出し機構を配して、切替部２２に向け搬送できるようにしても良い。
【００１９】
以上の構成により、金種判別された紙幣Ｍは、金種毎に切替部２２により搬送先が制御される。例えば、万円券と五千円券、更に千円券は小束／大束作成機３に向けて搬送し、損券は損券収納庫２８に、二千円券は二千円収納庫２９に格納され、それぞれ保管される。なお、この格納に伴って、その金種と枚数情報が記憶部２５に記録される。
また、図２に示すように、万円券と千円・五千円券は小束／大束作成機３に向けての搬送経路が異なる。即ち、万円券は最高金額紙幣であるため、釣銭として使用されることが無いため、全ての万円券は小束施封に廻される。しかしながら、千円券と五千円券は、釣銭として使用されるため小束／大束作成機３に向けての搬送経路の途中に分岐部８（詳細は後述）を有している。
【００２０】
小束／大束作成機３は計数／金種判別機２から搬送されてくる紙幣Ｍを金種別に集積し、その集積枚数が所定枚数(例えば、１００枚)になると、小束として紙帯で施封して小束紙幣Ｔとする。そして同一金種の小束紙幣Ｔが所定数(例えば、１０個)になると、大束紙幣ＴＭとして施封する機器である。ここで作成された大束紙幣ＴＭは機器外に排出される。なお、小束紙幣Ｔの状態で排出することや、機器内に保管空間を設けて一時的に保管してもよい。この大束紙幣ＴＭは係員により図示しない大金庫等に運ばれて保管される。
【００２１】
施封整理機としての小束／大束作成機３の説明を行う。
３１は計数／金種判別機２から搬送路４ｅを通ってくる紙幣Ｍ（例えば、万円券）を集積する部位であり、所定枚数の紙幣Ｍを略水平状態に積層集積する。
３２は計数／金種判別機２から搬送路４ｆを通ってくる紙幣Ｍ（例えば、千円券や五千円券）を集積する部位であり、それぞれ所定枚数の紙幣Ｍを略水平状態に積層集積する。
これらの集積時の計数は後述する制御部により制御される。
【００２２】
３３は操作表示部であって、後述する記憶部に格納されている情報を表示する液晶ディスプレイである。なお、タッチパネル構造として操作ボタンを表示、その表示ボタンを係員が触れることにより指示入力が行えるようにしても良い。
【００２３】
３５は記憶部で、半導体メモリ、ＨＤＤ等構成され、前記の操作ボタン表示の画面情報や計数／金種判別機２内に収納されている紙幣Ｍの金種とその枚数情報、更には小束紙幣Ｔのなど情報を格納する。
３６は制御部であって、記憶部３５に格納されている制御プログラムにより各部を制御するものである。３７は電源部であって、上記各部に電力を供給する。
【００２４】
３８は集積部３１に集積された紙幣Ｍ（例えば、万円券）が所定枚数(例えば、１００枚)になると、制御部３６による機構制御により小束紙幣Ｔとして施封する小束施封部である。
３９は小束施封部３８で施封された小束紙幣Ｔが所定数(例えば、１０個)貯まると、制御部３６による機構制御により大束紙幣ＴＭとして施封する大束施封部である。
これらの小束紙幣Ｔや大束紙幣ＴＭの作成技術については周知である。従って、詳細な説明は省略する。
【００２５】
コンベア部４は図１に示したように、回収車両ＭＣ等により百貨店やスーパーマーケット、更には金融機関から回収され、持ち込まれる貨幣収納庫１を受け入れ、搬送する部位である。
回収車両ＭＣ等から積み降ろされた貨幣収納庫１が受入部４ａに載置されると、これを図示しない検知器が検出し、図示しない駆動源を駆動させ、計数／金種判別機２まで搬送、さらに計数／金種判別機２から貨幣収納庫１の保管場所４ｄまで搬送する。図１では矢印Ａ〜Ｄにより搬送経路を記載している。
なお、このコンベア部４は、詳細な説明は省略するが、オートメーション化された工場内のベルトコンベアによる搬送システムと同様、各部に配置される光学式または機械式センサ等により監視制御が行われ、貨幣収納庫１同士の衝突やコンベア外への脱落などを防止できるようになっている。
【００２６】
コンベア部について詳しく説明する。
４ａは前述した通り貨幣収納庫１が載置される受入部である。４ｂは貨幣収納庫１の一時保管場所となる自動倉庫であり、持ち込まれた貨幣収納庫１を計数／金種判別機２に向かって搬送し、計数／金種判別機２により内蔵されている紙幣Ｍの取り出し処理を行っている間に、順次持ち込まれる貨幣収納庫１が受入部４ａから計数／金種判別機２間にたまってしまい、流せなくなった場合に待機場所として利用される。
例えば、持ち込まれた貨幣収納庫１を計数／金種判別機２に向かって矢印Ａ方向に搬送した結果、その主搬送路上に受入不可能となったとき、矢印Ｂ方向に搬送路を切り替え、自動倉庫４ｂに蓄える。そして、主搬送路上に貨幣収納庫１が無くなったとき、または介入可能と判断されたときに矢印Ｃ方向に搬送し主搬送路上に戻す。
【００２７】
自動倉庫４ｂは図示したように一方向の行き止り型に限定されない。即ち、図示例では、最初に取り込まれると最後にならないと取り出せない（先入・後出方式とする）が、環状に形成して最初に取り込まれた貨幣収納庫１を最初に取り出す（先入・先出方式とする）ようにしても良いし、紙幣Ｍの収納量等により環状としつつ逆方向に搬送制御するようにしても良い。
【００２８】
更に、コンベア部４では、載置された時点で図示しない電力供給手段から、電源部１７に電力を供給し、貨幣収納庫１の動作用電力としたり、充電動作を行わせることもできる。なお、充電動作については自動倉庫４ｂに一時待機させているときに実行させることもできることは言うまでも無い。
これらのコンベア部４の動作制御は、次に述べる運用管理サーバ５により制御される。
【００２９】
運用管理サーバ５は、計数／金種判別機２や小束／大束作成機３およびコンベア部４、更には貨幣収納庫１との通信制御を始め現金運用システム全体を制御するコンピュータである。
入出力機器６は、運用管理サーバ５の動作制御や、計数結果等を管理モニターしたり、釣銭額等の入力操作を行うための装置である。この入出力機器６は、現金管理センター等に配設され、係員が操作する一種のコンピュータであり、キーボード／マウス等の入力部、液晶ディスプレイ等の表示部そして、ＣＰＵ、ＭＰＵ等の演算部、半導体メモリ、ＨＤＤ等の記憶部のほか、各部を制御する制御部で構成されている。
【００３０】
記憶装置７は、主に計数／金種判別機２や小束／大束作成機３内に存在する紙幣Ｍの金種やその枚数情報等を記憶する部位である。この記憶装置７には、貨幣収納庫１自身の識別情報や回収してきた百貨店やスーパーマーケット、更には金融機関を特定できる情報も記録、保存される。
８は計数／金種判別機２と小束／大束作成機３間の搬送路４ｆに設けられた分岐部である。運用管理サーバ５からの指示により、この分岐部８が作動制御され、搬送されてくる紙幣Ｍ（例えば、千円券や五千円券）を釣銭部９へ導く。
この釣銭部９には、百貨店やスーパーマーケットにおける釣銭準備金として、所定金額分の千円券や五千円券が搬送され、係員により釣銭として取り揃えが行われる。
【００３１】
釣銭部９は釣銭パックＰを作成する部位である。
釣銭パックＰに収納される金種としては千円券や五千円券のほかに、係員により図示しない硬貨（１円、五円、十円、五十円、百円、五百円）がそれぞれ取り揃えた枚数収納され、収納の内訳として金種とその金種別枚数、更には合計金額や百貨店やスーパーマーケット、更には金融機関を特定できる情報が記録された識別票が添付される。なお、電子タグ等に電子的に記録するものでも構わないが、最低限、係員が目視確認できるように文字情報として印刷しておく。
【００３２】
回収車両ＭＣは本願発明との関係は薄いが、荷台に載せて運搬した貨幣収納庫１を係員による手作業で積み降ろすことなく、荷台とコンベア部４を機械的に結合させて、運用管理サーバ５による制御でコンベア部４上の受入部４ａに移動できるようにしてもよい。
なお、計数／金種判別機２により全ての紙幣Ｍが取り出された空の貨幣収納庫１は釣銭パックＰと共に回収車両ＭＣに積み込まれ、百貨店やスーパーマーケットまで運ばれる。
【００３３】
次に、本発明の現金運用システムの動作について説明する。図５は本発明の実施例におけるフローチャートである。本実施例１では、貨幣収納庫に紙幣のみが収納されていることとし、かつ、計数／金種判別機に位置付けられた貨幣収納庫より全ての紙幣が回収される場合について説明する。なお、Ｓは動作ステップを意味する。
【００３４】
Ｓ１： 回収車両ＭＣにより現金運用センターに搬入された貨幣収納庫１は、係員によりコンベア部４の受入部４ａに載置されると図示しない検知センサがこれを検出する。
Ｓ２： 運用管理サーバ５は送受信部Ｓを介して、貨幣収納庫１側の通信部１４と無線通信が指示され、正当な貨幣収納庫１であることがＩＤ情報等から確認される。
Ｓ３： 運用管理サーバ５は計数／金種判別機２が貨幣収納庫１内の紙幣Ｍの処理(回収)中であるか否かを判定する。ここで、回収中である場合には、受入部４ａに載置された貨幣収納庫１を計数／金種判別機２に位置付けることはできないので、その載置場所で待機させる。なお、コンベア部４の搬送経路の長さにより、載置場所である受入部４ａから計数／金種判別機２の位置までの区間に複数の貨幣収納庫１を留めることができれば、そこに待機させてもよい。
【００３５】
Ｓ４： 運用管理サーバ５は計数／金種判別機２に位置付けられ、先に処理されている貨幣収納庫１内の紙幣Ｍが無くなると、空となった貨幣収納庫１を計数／金種判別機２から切り離し、コンベア部４を図１に示す矢印Ｄ方向に搬送する。
運用管理サーバ５は、コンベア部４の受入部４ａに載置された貨幣収納庫１を矢印Ａ方向に搬送して、計数／金種判別機２に位置付けて停止させる。
【００３６】
Ｓ５： ステップＳ４にて、計数／金種判別機２に位置付けられている貨幣収納庫１が存在している場合に運用管理サーバ５は、自動倉庫４ｂに貨幣収納庫１を一時保管する空きエリアがあるかを確認する。この確認は記憶装置7内に自動倉庫４ｂのＦＵＬＬフラグが記憶されているか否かで判断される。運用管理サーバ５は、ＦＵＬＬフラグが記憶されている場合には、新たに貨幣収納庫１を取り扱うことができないので、受入部４ａ近傍の図示しない報知手段によりしばらく待つように報知する。
Ｓ６： 運用管理サーバ５は、ＦＵＬＬフラグが記憶されていないことが確認できたとき、コンベア部４を制御して貨幣収納庫１を自動倉庫４ｂの空きエリアに搬送させる。
【００３７】
Ｓ７： 計数／金種判別機２に位置付けられた貨幣収納庫１の通信部１４と、計数／金種判別機２側の送受信部２４により通信が行われる。記憶部１５に格納されている紙幣Ｍの金種とその枚数情報、更には、本貨幣収納庫１を特定可能なＩＤ情報などを受信する。
この受信情報は一時的に記憶部２５に格納される。
一方、運用管理サーバ５は、計数／金種判別機２に位置付けられている貨幣収納庫１のＩＤ情報などを受信して管理する。
【００３８】
Ｓ８： 記憶部２５に前記情報の格納が終了すると、制御部２６は貨幣収納庫１側の制御部１６に繰出部１２の動作指示を行う。繰出部１２が作動すると、紙幣Ｍが１枚ずつ分離され取出口１８から鑑別部２１に送り込まれる。制御部２６は鑑別部２１を制御して、取り込んだ紙幣Ｍの真偽、金種、正損を識別すると共に、その動作を繰り返して行い枚数を計数する。
貨幣収納庫１の制御部１６は、紙幣Ｍが繰出される毎に図示しないステージを少量ずつ上昇させて、この動作を収納されている紙幣Ｍが無くなるまで続行する。
【００３９】
Ｓ９： 制御部２６は制御部１６と共同にて、紙幣Ｍが貨幣収納庫１内に存在しなくなるまで動作を行うと、貨幣収納庫１内に設けた図示しないエンド検知器が「紙幣なし」信号を発生する。
貨幣収納庫１側から「紙幣なし」信号を受信した計数／金種判別機２は、記憶部１５に格納してあった紙幣Ｍの金種とその枚数情報と、計数／金種判別機２側で計数した金種別の枚数値を照合する。ここでは、鑑別部２１により金種不明な紙幣Ｍや重送などが発生しない場合には照合結果が一致することになる。しかし、重送などが発した場合には、その回数情報として管理しそれぞれの数量情報を運用管理サーバ５に送信する。
Ｓ１０： 全ての紙幣Ｍが取り出されると、制御部１６は記憶部１５に格納していた紙幣Ｍの金種とその枚数情報を消去する。
運用管理サーバ５はコンベア部４ｃを動作制御して、貨幣収納庫１を保管場所４ｄへ搬送する。なお、記憶部１５に格納していた紙幣Ｍの金種とその枚数情報は、保管場所４ｄに到着してからの消去でも、また搬送中の消去でも構わない。
【００４０】
Ｓ１１： 計数／金種判別機２に取り込まれ、金種鑑別された紙幣Ｍは正損および金種により搬送先が切り替え制御される。制御部２６は鑑別部２１が鑑別する都度、金種情報等に応じてこの搬送先を切り替える。この切り替えを行う部位が切替部２２である。
この金種判別された紙幣Ｍは留まることなく、次工程に搬送される。例えば、万円券と五千円券および千円券は小束／大束作成機３に向かって搬送され、損券と二千円券はそれぞれ、損券収納庫２８と二千円券収納庫２９とに送り込まれる。
これらの次工程への搬送と貨幣収納庫１からの取り出しは、同時に行われるが、記憶部２５にはそれぞれが動作する毎に計数値が更新され、常時、計数／金種判別機２内に存在する貨幣金種と、枚数情報が管理、格納されている。
【００４１】
Ｓ１２： 運用管理サーバ５は、予め入出力機器６から釣銭パックＰの準備指示入力があるか否かを判定する。
Ｓ１３： 釣銭パックＰの準備指示入力がないときには、小束／大束作成機３は計数／金種判別機２から搬送されてくる紙幣Ｍを受け入れて、所定の集積部３１および集積部３２に集積させる。この集積部３１および集積部３２に所定枚数(例えば、１００枚)の紙幣Ｍが集積されると、その集積紙幣は小束施封部３８に搬送され、施封され小束紙幣Ｔとなる。
Ｓ１４： ステップＳ１３による小束紙幣Ｔが作成され、同一金種の小束紙幣Ｔが所定数（例えば、１０個）作成されるまで続けられる。
【００４２】
Ｓ１５： 同一金種の小束紙幣Ｔが所定数（例えば、１０個）作成されると、大束施封部３９に搬送されて大束紙幣ＴＭとして施封される。これらの小束、大束施封動作は記憶部３５に格納されている制御プログラムにより制御部３６が制御する。なお、小束／大束作成機３内に存在する紙幣Ｍと小束、大束数は記憶部３５に格納される。
Ｓ１６： 制御部３６は、前述したように小束紙幣Ｔが所定個数集積されるまで続けられるが、入出力機器６等からの指示入力があるときには、小束紙幣Ｔとして小束／大束作成機３外に排出することもできる。
【００４３】
Ｓ１７： ステップＳ１２にて、釣銭パックＰの作成指示があるときには、分岐部８が作動する。例えば、千円券と五千円券は釣銭として小束施封することなくバラ紙幣Ｍのまま図１に示す矢印Ｈ方向に搬送され釣銭部９に集められる。
Ｓ１８： そして係員により袋詰めされ、釣銭パックＰが完成する。
なお、釣銭パックＰには図示しないＩＤタグが取り付けられ、そのＩＤタグには、少なくとも配送先を特定できる情報が記録される。例えば、営業店名や装置機番号を電子的及びまたは可視情報として印刷記録される。
【００４４】
運用管理サーバ５は、本現金運用システム全体の運用を管理制御するので、下流側の機器で障害が生じたときには上流側の機器動作を一時的に停止させるなどの制御を行う。
【００４５】
以上のフローチャートでは、貨幣収納庫１よりの紙幣Ｍ取出しから大束作成、排出までの流れを説明したが、各装置が個々にそれぞれの処理動作を連続的かつ並行して行うことはいうまでも無い。更に、図では紙幣Ｍを中心に説明したが、硬貨も同様に処理され、釣銭パックＰ内に収納することもできる。
また、釣銭パックＰを作成するための分岐部８を計数／金種判別機２と小束／大束作成機３の間に設けたが、これに限定されない。即ち、計数／金種判別機２側または小束／大束作成機３側に一体構成として設けてもよい。
【実施例２】
【００４６】
次に、本発明の実施例２について説明する。
本発明の実施例２は、実施例１に対して、貨幣収納庫を簡易化、小型軽量化した場合であり、記憶部や電源部等を有さないものである。従って、収納されている紙幣の金種や枚数情報は、装着されていた機器から事前に通信回線を介して、運用管理サーバ側に通知されている。図６は、本発明の実施例２の自動装填機の説明図であり、図７は貨幣収納庫の構成図である。また、図８は該自動装填機における貨幣収納庫の移動概念図である。
【００４７】
自動装填機１００は、コンベア部４と計数／金種判別機２ａの間に設置された貨幣収納庫１ａを計数／金種判別機２ａに位置付けるアダプタ機能を有するものである。従って、図１や図８に示す矢印Ａ方向に搬送された貨幣収納庫１ａが計数／金種判別機２ａに位置付けされると、自動装填機１００により図示する矢印Ｋ方向に移動され、機内部に取り込まれる。
取り込まれた貨幣収納庫１ａは自動装填機１００内を矢印Ｌ方向に上昇され、計数／金種判別機２ａに挿入される。
なお、貨幣収納庫１ａは図７に示すように繰出部１２ａのみを有する構成である。
【００４８】
計数／金種判別機２ａの動作により、収納している紙幣Ｍの全数が取り出され、空となった貨幣収納庫１ａは自動装填機１００側に戻され、横（矢印Ｐ）方向に移動させられる。そして、次の貨幣収納庫１ａが自動装填機１００内を矢印Ｌ方向に１段上昇され、計数／金種判別機２ａに挿入される。
空となった貨幣収納庫１ａは、自動装填機１００内を矢印Ｑ方向に下降させ、続けて矢印Ｒ方向に移動し、コンベア部４上に載置（戻す）される。
貨幣収納庫１ａがコンベア部４上に戻されると、運用管理サーバ５はコンベア部４を駆動して、矢印Ｄ方向に搬送され保管場所４ｄまで移動することになる。
【００４９】
このような貨幣収納庫１ａは、スーパーマーケットのレジ毎に売上金を回収する場合や渉外員が集金した貨幣の入金処理など比較的に小規模な単位での現金回収用に適している。
【実施例３】
【００５０】
次に、本発明の実施例３について説明する。
本実施例３は、実施例１に対して計数／金種判別機が貨幣収納庫から収納されている紙幣の全数を回収するのではなく、金融機関の現金自動預払機（ＡＴＭ）に装着される貨幣収納庫として使用する場合であって、現金自動預払機（ＡＴＭ）を運用するための資金を詰め替える場合である。従って、計数／金種判別機に位置付けされた貨幣収納庫から、紙幣の一部を回収する場合と紙幣を補充する場合がある。
【００５１】
図９は本発明の実施例３における現金運用システムのフローチャートであり、図１０は本発明の実施例３における現金移動の概念図である。なお、計数／金種判別機２に位置付けされる貨幣収納庫１には、万円券２５００枚，五千円券５０枚，二千円券１５枚，千円券８００枚が収納されており、最終的には万円券２０００枚，五千円券０枚，二千円券０枚，千円券１０００枚とする例で説明する。即ち、万円券５００枚，五千円券５０枚，二千円券１５枚を回収し、千円券２００枚を補充することになる。
また、各紙幣は積層状態で図１０に示す順位で格納されていることとして説明する。
【００５２】
Ｓ２１： 運用管理サーバ５は運用資金の補充用準備指示を例えば入出力機器６から受けると、計数／金種判別機２に資金の全回収ではなく、詰替え動作を指示する。
Ｓ２２： 計数／金種判別機２ｂの制御部２６は、貨幣収納庫１側の通信部１４との通信を送受信部２４を介して行い、収納されている紙幣Ｍの金種とその枚数情報、更には収納順を読み取る。
本説明例では、上段の繰出部１２側より万円券２５００枚，五千円券５０枚，二千円券１５枚，千円券８００枚が収納されていることを把握することになる。
Ｓ２３： 制御部２６は運用管理サーバ５より、最終的に収納すべき紙幣Ｍの金種と枚数情報を受信して、回収すべき金種と枚数、及び補充すべき金種と枚数を算出し、記憶部２５に格納する。
本説明例では、万円券５００枚，五千円券５０枚，二千円券１５枚の回収と、千円券２００枚の補充を行わなければならないことになる。
【００５３】
Ｓ２４： 制御部２６は貨幣収納庫１側に紙幣Ｍの回収動作指示を出す。このとき、中段に五千円券Ｍ５と二千円券Ｍ２が存在しているので、その上段に収納されている万円券Ｍ１０から回収することになる。なお、制御部２６は、千円券２００枚の補充が可能な量の千円券Ｍ１が千円券収納庫Ｍ１ａに存在することを確認する。例えば、不足する場合には今回の詰替えは見送るが、各部に収納されている紙幣有高は運用管理サーバ５側で把握されているので、そのような事象は発生しないように制御される。
Ｓ２５： まず、万円券Ｍ１０は繰出部１２から鑑別部２１に搬送され、図示しない切替部により万券収納部Ｍ１０ａに収納される。このとき真偽や正損および計数が行われ、損券は損券収納庫ＭＳに取り込まれ、偽券と判定された場合には、リジェクト券収納庫ＭＲに収納される。
同様に、五千円券Ｍ５と二千円券Ｍ２が処理され、五千円券収納庫Ｍ５ａおよび二千円券収納庫Ｍ２ａに収納される。
【００５４】
Ｓ２６： 制御部２６は、紙幣Ｍの補充が必要であるか否かを判断する。本説明では記憶部２５に格納した情報から千円券２００枚の補充が必要であると判断する。
Ｓ２７： 制御部２６は千円券収納部Ｍ１ａから図示しない分離繰出し動作を実行させ、鑑別部２１を通過させ、貨幣収納庫１に千円券２００枚を送り込む。千円券Ｍ１の搬送が終了すると、続けて２０００枚の万円券Ｍ１０が万券収納部Ｍ１０ａから図示しない分離繰出し動作により繰り出され、鑑別部２１を通過させ、貨幣収納庫１に送り込まれる。
制御部２６は鑑別部２１を通過する毎に金種確認と枚数を計数することは言うまでも無く、その計数結果を制御部１６に送信する。
【００５５】
Ｓ２８： 貨幣収納庫１側の制御部１６および計数／金種判別機２ｂの制御部２６は、それぞれの記憶部１５、２５に格納されている金種別の格納枚数（有高）情報を更新する。
Ｓ２９： 記憶部１５への有高情報の更新が終了すると、コンベア部４ｃを動作制御して、貨幣収納庫１を保管場所４ｄへ搬送する。なお、実施例１で説明した空の貨幣収納庫１と本実施例３により詰替えた紙幣Ｍが格納されている貨幣収納庫１の搬送ルートを別に設けて、それぞれのコンベア上に保管するようにするようにすると、目視での識別がより容易になる。
【００５６】
Ｓ３０：  ステップＳ２１にて、補充用の貨幣収納庫１の準備が不要な場合には、実施例１で説明した処理を実行する。以上の説明では、貨幣収納庫１内の残っていた千円券（８００枚）については、記憶部１５からの情報に従っているので、計数動作は行わない。しかしながら、現実的には差額補充ではなく、一旦、千円券Ｍ１のすべて（８００枚）を千円券収納庫Ｍ１ａに回収し、新たに千円券収納庫Ｍ１ａから所定量（１０００枚）の千円券Ｍ１を補充してもよい。また、五千円券Ｍ５と二千円券Ｍ２は新たに補充用に用いることがない運用形態の場合には、各収納庫Ｍ５ａ，Ｍ２ａ内に収納することなく、小束／大束作成機３に搬送するようにしてもよい。
【００５７】
以上の実施例１，２では全回収、実施例３では補充回収について説明したが、空の貨幣収納庫に新規に紙幣を詰める装填処理も制御可能なことはいうまでも無い。更には、紙幣を収納している貨幣収納庫は保管場所を金庫室として、自動的に保管すると安全性が向上できる。
【産業上の利用可能性】
【００５８】
上記の説明では、百貨店やスーパーマーケットにおける売上金の計数処理や、銀行等の金融機関に設置される現金自動預払機（ＡＴＭ）から回収した現金処理について述べたがこれに限定されない。例えば、バス等の乗車料金箱の精算や、駅の券売機、更にはガソリンスタンド、大型店舗のテナント別の売上金の計数と釣銭準備などにも利用できる。
【図面の簡単な説明】
【００５９】
【図１】本発明の現金運用システムの構成例を示す概念図である。
【図２】本発明の現金運用システムの制御ブロック図である。
【図３】本発明の貨幣収納庫の外観図である。
【図４】本発明の貨幣収納庫の構成図である。
【図５】本発明のフローチャートである。
【図６】本発明の実施例２の自動装填機の説明図である。
【図７】本発明の実施例２の貨幣収納庫を示す構成図である。
【図８】本発明の実施例２の貨幣収納庫の移動概念図である。
【図９】本発明の実施例３における現金運用システムのフローチャートである。
【図１０】本発明の実施例３における現金運用システムの現金移動の概念図である。
【符号の説明】
【００６０】
１   貨幣収納庫
２   計数／金種判別機
３   施封整理機（小束／大束作成機）
４   コンベア部
５   運用管理サーバ
７    記憶装置
８    分岐部
９    釣銭部
１１  貨幣収納部
１４  通信部  
２１  鑑別部  
２２  切替部
Ｍ  貨幣(紙幣)  
【図１】
2008262389.tif 000003
【図２】
2008262389.tif 000004
【図３】
2008262389.tif 000005
【図４】
2008262389.tif 000006
【図５】
2008262389.tif 000007
【図６】
2008262389.tif 000008
【図７】
2008262389.tif 000009
【図８】
2008262389.tif 000010
【図９】
2008262389.tif 000011
【図１０】
2008262389.tif 000012